(57)【要約】【課題】複数の導光棒を有する導光体とＬＥＤを用いて、薄型、省電力、軽量、且つ安価な面発色装置を提供することを目的とする。【解決手段】長手方向に伸びる溝部（１２）を有する導光棒（１１）を複数有し且つ端面を有する導光体（１０）と、導光体の端面から光を入射する光源（３０、４０）と、導光体の端面から入射された光を導光体の溝部から出光させるために溝部内に設けられた光偏向手段（Ｒ）を有することを特徴とする面発色装置（１）。【選択図】図６
2008218219.tif 000002
【特許請求の範囲】
【請求項１】
面発色装置であって、
長手方向に伸びる溝部を有する導光棒を複数有し、端面を有する導光体と、
前記導光体の前記端面から光を入射する光源と、
前記導光体の前記端面から入射された光を、前記導光体の前記溝部から出光させるために、前記溝部内に設けられた光偏向手段と、
を有することを特徴とする面発色装置。
【請求項２】
前記溝部は、コの字状の断面を有する、請求項１に記載の面発色装置。
【請求項３】
前記溝部は、Ｖの字状の断面を有する、請求項１に記載の面発色装置。
【請求項４】
前記溝部は、Ｕの字状の断面を有する、請求項１に記載の面発色装置。
【請求項５】
前記溝部は、前記導光棒において互いに対向して複数設けられている、請求項１に記載の面発色装置。
【発明の詳細な説明】
【技術分野】
【０００１】
本発明は、面発色装置に関し、特に複数の導光棒を有する導光体を用いた面発色装置に関する。
【背景技術】
【０００２】
美しく繊細な単色の表現力は配色の美学にも及んでおり、過去にさかのぼると、季節のうつろいを衣服で表現した「襲の色目」という欧米の配色論とは違う「日本独自の色とすばらしい配色」がある。
【０００３】
かさねの色目つまり、着物の表と裏や、重ね着にあらわれる色の組み合わせで、調和美がえられる（金子隆芳「色彩の心理学」著書の中）。色彩調和に関する情緒価値については、D.B.juddアメリカの色彩学者  ジャッドは1955年ISCCのニューズレターに発表した論文で、「色彩調和は好き嫌いの問題であり、情緒反応は人によって異なり、また同一人でもときによって異なる。われわれは古い配合にあきて、どんな変化も好ましく思う事がよくある。また一方、もともと無関心であった色の配合を、たびたび見ているうちに、好ましく思う事もある。」としながら、先人たちの研究を次の４つの要素にまとめている。
１．秩序（秩序性）の原理  規則的に選ばれた色は調和する
２．なじみ（親近性）の原理  日常の自然の中で慣れ親しんだ色合は調和的であり、それに逆らいすぎないこと。
３．類似性（共通性）の原理  どんな色も、共通性があれば調和する
４．明瞭性の原理  色同士に適度な対比があること
つまり、日本における重要な配色をあらわしているのは、２、の「なじみの原理」と３の「類似性の原理」といえる。
【０００４】
また、O.N.Rood1879「現代色彩学」アメリカの自然学者  ルードの色彩調和論にも自然の観察の中から導きだされた「自然の色の見えの効果」の原理があり、「自然光のもとで観察した色の見え方には一定の法則がある。樹木の葉や草の葉は日光の当たっている部分は明るく黄みの緑に、陰では暗く青みの緑に見える。赤い花弁の日光の当たっている部分は明るく黄みの赤に、陰の部分は暗く青み（紫み）に見える」この考え方は現在の色彩調和論にとって重要な原理のひとつとされている。
【０００５】
一方、液晶ディスプレイ等のバックライトに用いられる面発光装置では、ネオン管等の線状光源からの光を平板状の導光板を用いて拡散させることによって面発光照明を実現している（例えば、特許文献１）。
【０００６】
また、比較的安価なＬＥＤを基板上に等間隔で複数配置し、看板等を裏側から直接照明するための面発光照明装置として利用しようとすることも知られている。
【０００７】
【特許文献１】特開平１１−２３７６２９号公報
【発明の開示】
【発明が解決しようとする課題】
【０００８】
しかしながら、複数の導光棒を有する導光体を用いて、ディスプレイや建物内の壁面の装飾に用いるための面発色装置を構成しようとすることは知られていなかった。
【０００９】
そこで、本発明は、複数の導光棒を有する導光体を用いた面発色装置を提供することを目的とする。
【００１０】
さらに、本発明は、繧繝彩色での白地の上に同色色相で、淡い色、やや濃い色、濃い色と段階的な配列や、ぼかしの効果の彩色法での配色技法で色相だけでなく、トーン（明度・彩度）の共通性も含まれており、曖昧で微妙な日本の情緒的な季節感を色で表現できる面発色可能な装置を提供することを目的とする。また、本発明は、複数の導光棒を有する導光体とＬＥＤを用いて、薄型、省電力、軽量、且つ安価な面発色装置を提供することを目的とする。
【００１１】
さらに、本発明は、複数の導光棒を有する導光体とＬＥＤを用いて、淡く、やさしい、エコロジックな色を発色させる面発色装置を提供することを目的とする。
【課題を解決するための手段】
【００１２】
上記課題を解決するために、本発明に係る面発色装置は、長手方向に伸びる溝部を有する導光棒を複数有し且つ端面を有する導光体と、導光体の端面から光を入射する光源と、導光体の端面から入射された光を導光体の溝部から出光させるために溝部内に設けられた光偏向手段を有することを特徴とする。
【００１３】
さらに、本発明に係る面発色装置では、溝部は、コの字状の断面、Ｖの字状の断面又はＵの字状の断面を有することが好ましい。
【００１４】
さらに、本発明に係る面発色装置では、溝部は、導光棒において互いに対向して複数設けられていることが好ましい。
【発明の効果】
【００１５】
本発明によれば、複数の導光棒の端面からの光によって面発色を行うことから、薄型、省電力、軽量、且つ安価な面発色装置を提供することが可能となった。
【００１６】
また、本発明によれば、光偏向手段としての粗面化処理された樹脂表面から光を発色させるので、人に働きかけて心地よさという心理的効果を与えるような情緒価値を有する面発色装置を提供することや、淡く、やさしい、エコロジックな色を発色させることが可能となった。
【００１７】
さらに、本発明によれば、導光棒に溝部があり、溝部内に設けられた光偏向手段によって光が外部へ出光する。溝部を設けるによって導光体の表面には輝度の大きい部分と小さい部分を同時に発現できる。従って、出光面側には明暗のストライプの演出を可能にする。また、見る角度によっては明暗のストライプの幅が変動するように観察することになる為、いままでになかった色彩や明度差の光の配列による発色や立体感のある演出を行うことが可能となった。
【発明を実施するための最良の形態】
【００１８】
以下、本発明に係る面発色装置を、図面を参照しながら説明する。但し、本発明は以下の説明に限定されず、特許請求の範囲に記載された発明とその均等物に及ぶ点に留意されたい。
【００１９】
図１は、本発明に係る面発色装置を壁掛けパネルとして構成した壁掛けパネル型面発色装置１の出光面側から見た正面図である。また、図２は、図１におけるＡＡ´断面図である。本実施形態では、壁掛けパネル型面発色装置１を５００×５００ｍｍに設定した。しかしながら、壁掛けパネル型面発色装置１のサイズはこれに限定されることなく、様々なサイズに形成することができる。
【００２０】
図１及び２に示すように、壁掛けパネル型面発色装置１は、複数の導光棒１１を配列した導光体１０、枠体２０、第１のＬＥＤ光源部３０、第２のＬＥＤ光源部４０等から構成されている。第１及び第２のＬＥＤ光源部３０及び４０は、導光体１０を図１における図中の上下から挟むように配置され、枠体２０内に固定されている。
【００２１】
また、導光体１０の出光面側（図２において、図中上側）に透光性を有する保護プレートを配置したり、導光体１０の裏側（図２において、図中下側）に反射シートを配置したりしても良い。さらに、導光体１０の出射面側からの光を制御するために、導光体１０の出射面側に、拡散シートやプリズムシートを配置するようにしても良い。
【００２２】
図３は、第１のＬＥＤ光源部３０の概略を示した図である。
【００２３】
第１のＬＥＤ光源部３０は、複数のＬＥＤ３１、回路基板３２、リフレクター部３３及び電子部品３４（図２参照）等から構成される。回路基板３２上には、複数のＬＥＤ３１が等間隔で配置され、各ＬＥＤはリフレクター部３３で個々に覆われている。リフレクター部３３の内部には、アルミ蒸着がなされており、ＬＥＤ３１からの光を効率よく導光棒１１へ伝達する機能を有している。なお、リフレクター部３３の内部は鏡面仕上げがなされていたり、白色の塗料が塗布されたりしていても良い。
【００２４】
各ＬＥＤ３１は、Ｒ色ＬＥＤ素子３５、Ｇ色ＬＥＤ素子３６及びＢ色ＬＥＤ素子３７が一つにパッケージされたタイプのＬＥＤであって、多彩な発光を行うことができる。各ＬＥＤ３１は、制御部３８により任意の色とタイミングで発色が可能である。なお、各ＬＥＤ３１は、Ｒ色の単色ＬＥＤ、Ｇ色の単色ＬＥＤ、Ｂ色の単色ＬＥＤ又はＷ（ホワイト）色の単色ＬＥＤであっても良い。また、単色ＬＥＤを使用する場合には、複数のＬＥＤを１つの後述する導光棒に対応するように配置することが、多彩な発色が可能となる点で好ましい。また、これに用いるＬＥＤとしては、上述のチップ型のほか、オーバル型や砲弾型の各種のＬＥＤを使用することができる。
【００２５】
なお、第２のＬＥＤ光源部４０の構成も、前述した第１のＬＥＤ光源部と同様であるので、ここではその説明を省略する。また、図１及び図２の例では、導光体１０の上下にＬＥＤ光源部３０及び４０を配置したが、光量が十分な場合には、一方側にのみＬＥＤ光源部を配置することもできる。
【００２６】
図４は、導光棒１１の一例を示す図である。
【００２７】
導光棒１１は、縦（ａ）４５０ｍｍ、横（ｂ）１２ｍｍ、幅（又は高さ）（ｃ）１２ｍｍのポリカーボネイト樹脂（以下、ＰＣ樹脂と言う）で構成されている。なお、上記の導光棒の大きさは一例であって、他の値を採用することもできるが、横（ｂ）は、３〜５０ｍｍ、幅（高さ）（ｃ）は、３〜５０ｍｍである事が導光棒の大きさに対応した適度な大きさの溝によるストライプ柄の面発色ができる点で好ましい。なお、導光棒１１は、ＰＭＭＡ樹脂、ＭＳ樹脂、ＰＥＴ等のポリエステル樹脂、ＰＳｔ樹脂、ＣＯＰ樹脂、ＣＯＣ樹脂、ＰＰ樹脂やＰＥ樹脂等のオレフィン樹脂、ＰＶＣ樹脂、アイオノマー樹脂、ガラス等によって構成しても良い。
【００２８】
導光棒１１は、第１発色面１１ａ、第２発色面１１ｂ、第３発色面１１ｃ、側面１１ｄ、１１ｅ、１１ｆ、１１ｇ及び１１ｈと、発色面と略９０度の傾きを有しＬＥＤ光源部からの光を入射するための端面１１ｉ及び１１ｊ有している。また、導光棒１１は、その長手方向に沿って設けられた溝部１２を有しており、溝部１２に、第１発色面１１ａ、第２発色面１１ｂ及び第３発色面１１ｃが設けられている。さらに、導光棒１１の第１発色面１１ａ、第２発色面１１ｂ及び第３発色面１１ｃには、端面１１ｉ及び／又は端面１１ｊから入射したＬＥＤ光源部３０及び／又はＬＥＤ光源部４０からの光を、面発色装置１の外部へ出光させるための光偏向手段（Ｒ）が形成されている。光偏向手段については後述する。なお、溝部１２は、コの字状の断面形状を有している。溝部１２の深さは５ｍｍ、幅５ｍｍとしたが、それは一例であって、他の値を採用することも可能であるが、１ｍｍ〜導光棒の幅までである事が、良好な視認の点で好ましい。また、溝は連続的なものだけでなく、断続的な溝を採用することも可能であるし、一列の溝だけでなく、複数が並列に配列された溝を採用することもできる。
【００２９】
側面１１ｄ、１１ｅ、１１ｆ、１１ｇ及び１１ｈは、導光棒１１内に進入した光が、これらの面において出光をしないように、平滑な形態にしている（平滑面）。また、第１及び第２のＬＥＤ光源部３０及び４０からの光が導光棒１１に進入しやすいように、導光棒１１の端面１１ｉ及び１１ｊにも、平滑化処理が施されている。
【００３０】
導光棒１１の第１発色面１１ａ、第２発色面１１ｂ及び第３発色面１１ｃの表面全体には、粗面化処理が施されており、粗面化によって生じる微細な凹凸形状（光偏向手段）によって、端面１１ｉ及び１１ｊから進入した光が散乱する。第１発色面１１ａ、第２発色面１１ｂ及び第３発色面１１ｃの粗面化処理は、鋸による切削加工により溝表面に形成できる。
【００３１】
他の粗面化処理の一例として、第１発色面１１ａ、第２発色面１１ｂ及び第３発色面１１ｃの表面全体に、ｚ方向に沿って、Ｖ字状の溝Ｒ（深さ３μｍ、幅２０μｍ、ピッチ１ｍｍ）を均一に形成した。Ｖ字状の溝は、光偏向手段（Ｒ）として機能する。
【００３２】
また、Ｖ字状の溝のピッチを、導光棒１１の端部と中央部とで異ならせるようにすることも可能である。Ｖ字状の溝のピッチが短い場所では、散乱が多く、出光が多い。したがって、導光棒１１の端部（ＬＥＤ発色部に近い側）のピッチを大きく（例えば、５０ｍｍ）し、導光棒の中央部（ＬＥＤ発色部から遠い側）のピッチを小さく（例えば、５０μｍ）すれば、導光棒１１の全体からほぼ均一な出光を行うように制御することも可能となる。ｖ字状の溝のピッチを上記のように設けたことにより、導光棒の長手方向の中央部と光源側近部明るさ（例えば、輝度）の比率を１：３〜１：９にすることができる。明るさの比率がこのような範囲にあると自然の中にある色彩や明度の調和の取れた表現ができ、観察者は心地よさを感じることができる。
【００３３】
また、Ｖ字状の溝を設ける方向は、必ずしも、ｚ方向に限らず、ｘ方向、ｙ方向、及び／又はｗ方向に沿って形成されていても良い。また、Ｖ字状の溝は連続するもののみならず、断続的に形成しても良い。例えば、Ｖ字状の溝の深さは、３〜６μｍが好ましく、幅は２０〜４０μｍが好ましく、ピッチは５０μｍ〜５ｍｍが好ましい。しかしながら、Ｖ字状の溝の深さ、幅及びピッチは、これらの値に限定されるものではなく、適宜他の最適な値を取ることが可能である。
【００３４】
光偏向手段（Ｒ）としては、上述した鋸による切削加工やＶ字状の溝以外にも、Ｕ字状の溝、レーザによって刻印された又は印刷されたドット形状（ドット状の微小な凹凸）、逆四角錘状の凹部を配列したものであっても良い。また、光偏向手段（Ｒ）としては、溶剤、プラズマ又は電子照射等によるエッチング加工により得られるランダムな凹凸、逆Ｖ字状の凸部、又は逆Ｕ字状の凸部であっても良い。さらに、光偏向手段（Ｒ）は、例えば、図４に示す、ｘ方向、ｙ方向、ｚ方向及び／又はｗ方向に沿って、第１発色面１１ａ、第２発色面１１ｂ及び第３発色面１１ｃの表面全体に形成されていることが好ましい。
【００３５】
ところで、第１発色面１１ａ、第２発色面１１ｂ及び第３発色面１１ｃの表面全体の粗面化処理は、自動切削器(例えば、ＮＣルーター）による切断加工、ブラスト加工、研磨機材による面加工、エンボス成形加工等によって行うこともできる。
【００３６】
さらに、ブラスト加工では、高速噴射機で、導光棒１１の表面に粒子を噴出して、ランダムな凹凸形状を形成して、第１発色面１１ａ、第２発色面１１ｂ及び第３発色面１１ｃとすることができる。
【００３７】
さらに、研磨機材として例えばヤスリを用い、表面を削り取るようにして導光棒１１の表面の加工を行い、第１発色面１１ａ、第２発色面１１ｂ及び第３発色面１１ｃとすることができる。
【００３８】
さらに、導光棒１１を押し出し成形によって製造する場合には、金型自体にランダムな凹凸形状を設けたり、成形後の冷却前に表面マット加工用のロール間を通過させたりすることによって、第１発色面１１ａ、第２発色面１１ｂ及び第３発色面１１ｃを形成することも可能である。なお、光偏向手段を設ける面は、溝の全面ではなく、一部（例えば底面）に設けることもできる。また、溝以外の側面については、本実施例においては、平滑面であるが、これらの面に光偏向手段が設けられていてもよい。
【００３９】
図５は導光体１０と第１のＬＥＤ光源部３０との関係を示す斜視図であり、図６は図１におけるＢＢ´断面図である。
【００４０】
図５及び６に示すように、導光体１０は、出光方向（矢印Ｃ参照）側に、溝部１２を向けるようにして、複数個（例えば、４５本）の導光棒１１が配列されるようにして構成されている。
【００４１】
ここで、各導光棒１１の第１発色面１１ａ、第２発色面１１ｂ、第３発色面１１ｃ、側面１１ｈ及び１１ｄによって、出光側の面（出光面）が形成されていることとなる。特に、図６において、各導光棒１１の第１発色面１１ａ、第２発色面１１ｂ及び第３発色面１１ｃを斜線で示した。
【００４２】
第１のＬＥＤ光源部３０のリフレクター部３３の大きさは、ちょうど１本の導光棒１１の一方の端面１１ｉ又は１１ｊの大きさに対応して構成されており、１本の導光棒１１に対して、１つのリフレクター部３３が対応している。即ち、１本の導光棒１１に対して、１つのＬＥＤ３１が対応して配置されている。
【００４３】
また、各ＬＥＤ３１の光の放射中心が、各導光棒１１の長手方向と平行になるように各ＬＥＤ３１が配置されていることが好ましく、各ＬＥＤ３１の光の放射中心が、各導光棒１１の長手方向の中心線と一致するように各ＬＥＤ３１が配置されていることが更に好ましい。溝の大きさによってはＬＥＤの一部が溝にかかる場合もありうるが、ＬＥＤの光を導光体に入射させることができるものであれば、本発明の趣旨からはずれるものではない。
【００４４】
なお、図示していないが、第２のＬＥＤ光源部４０の各リフレクター部４３及び各ＬＥＤ４１も、導光棒１１の他の端面１１ｉ又は１１ｊ側に、第１のＬＥＤ光源部３０と同様に、配置されている。
【００４５】
次に、図１に示す面発色装置における発色方法について説明する。
【００４６】
まず、第１のＬＥＤ光源部３０の各ＬＥＤ３１から出射した光は、導光棒１１の端面１１ｉ又は１１ｊの一方側から導光棒１１内に進入する。導光棒１１内に入射した光は、側面（平滑面）１１ｄ、１１ｅ、１１ｆ、１１ｇ及び１１ｈ等で反射しながら反対側に配置されたＬＥＤ４１に向かって進んで行く（例えば、図２の光Ｌ１参照）。しかしながら、導光棒１１内に入射した光は、溝部１２の第１発色面１１ａ、第２発色面１１ｂ及び／又は第３発色面１１ｃに設けられた光偏向手段（Ｒ）に入射して、散乱する（例えば、図２の点Ｐ１参照）。散乱した光の内の所定量は、出光面側から出光される（矢印Ｃの方向参照）。
【００４７】
図７は、導光体の発色を説明するための図である。
【００４８】
図７に示すように、第１のＬＥＤ光源部３０及び第２のＬＥＤ光源部４０の全てのＬＥＤからＲ色光が出射しているものとする。前述したように、導光体１０の出光面は、各導光棒１１の第１発色面１１ａ、第２発色面１１ｂ、第３発色面１１ｃ、側面１１ｈ及び１１ｄから構成される。しかしながら、溝部１２の第１発色面１１ａ、第２発色面１１ｂ及び第３発色面１１ｃからは直接光が散乱して出光してくるが、側面（平滑面）１１ｈ及び１１ｄには光偏向手段が設けられていないことから、側面（平滑面）１１ｈ及び１１ｄは発色面と比べて同系色ではあるが暗く見える。その為、出光面側には明暗のストライプを発現できる。また、出光面側において、溝部１２が設けられていることから、見る角度によっては、出光面の明暗のストライプの幅が異なって観察されるので、立体感のある演出を行うことが可能となる。
【００４９】
図８は他の導光体の例を示す図であり、図９は図８に示す導光体の斜視図である。
【００５０】
図８では、図６と同様に、導光体１００を、導光棒の長手方向と垂直な方向に切った断面図を示している。図８及び９に示す導光体１００は、前述した導光体１０の代わりに面発色装置１に利用することができる。
【００５１】
図８に示すように、導光体１００は、断面がコの字状の溝部１０２及び１０３を２箇所に設けた導光棒１０１が複数配列されるようにして構成されている。溝部１０２及び１０３は、導光棒１０１の長手方向に沿って、互いに対向するように設けられている。
【００５２】
導光棒１０１は、第１発色面１０１ａ、第２発色面１０１ｂ、第３発色面１０１ｃ、第４発色面１０１ｇ、第５発色面１０１ｈ、第６発色面１０１ｉ、側面（平滑面）１０１ｄ、１０１ｅ、１０１ｆ、１０１ｊ、１０１ｋ及び１０１ｌ、さらに、端面（不図示）から構成される。なお、図８において、光偏向手段が設けられた面を斜線で示している。
【００５３】
前述した第１及び第２ＬＥＤ光源３０及び／又は４０等からの光が、導光棒１０１の端面から入射すると、溝部の第１発色面１０１ａ、第２発色面１０１ｂ、第３発色面１０１ｃ、第４発色面１０１ｇ、第５発色面１０１ｈ及び／又は第６発色面１０１ｉで散乱が発生し、発色面及び／又は側面（平滑面）１０１ｌ及び１０１ｄを介して、光が出光面側から出光する（矢印Ｃ参照）。ここで、導光体１００では、複数の導光棒１０１の各第１発色面１０１ａ、第２発色面１０１ｂ、第３発色面１０１ｃ、側面（平滑面）１０１ｌ及び１０１ｄによって、出光面が形成されている。
【００５４】
このような導光体１００を用いることにより、特に前後に配置された溝部１０２及び１０３からの強い光によって、立体感のある演出が可能となる。又、例えば、導光体に対して垂直方向ではなく、斜め方向から観察した場合には、第４発色面１０１ｇ、第５発色面１０１ｈ及び／又は第６発色面１０１ｉの発色面を、１０１ｄ、１０１ｌの平滑面を介して観察することができ、クリスタル感と比較的強いストライプの演出が可能とできる。
【００５５】
又、枠体２０の背面を開口部に構成し、１０１ｄ、１０１ｆを平滑面に構成することで、背面にある物を観察可能にしている。
【００５６】
図１０は更に他の導光体の例を示す図であり、図１１は図１０に示す導光体の斜視図である。
【００５７】
図１０では、図６と同様に、導光体１１０を、導光棒の長手方向と垂直な方向に切った断面図を示している。図１０及び１１に示す導光体１１０は、前述した導光体１０の代わりに面発色装置１に利用することができる。
【００５８】
図１０に示すように、導光体１１０は、断面がＶの字状の溝部１１２を設けた導光棒１１１が複数配列されるようにして構成されている。溝部１１２は、導光棒１１１の長手方向に沿って設けられている。
【００５９】
導光棒１１１は、第１発色面１１１ａ、第２発色面１１１ｂ、側面（平滑面）１１１ｃ、１１１ｄ、１１１ｅ、１１１ｆ及び１１１ｇ、さらに、端面（不図示）から構成される。なお、図１０において、光偏向手段が設けられた面を斜線で示している。
【００６０】
前述した第１ＬＥＤ光源３０及び／又は第２ＬＥＤ光源４０等からの光が、導光棒１１１の端面から入射すると、溝部の第１発色面１１１ａ及び／又は第２発色面１１１ｂで散乱が発生し、発色面及び／又は側面（平滑面）１１１ｃ及び１１１ｇを介して、光が出光面側から出光する（矢印Ｃ参照）。ここで、導光体１１０では、複数の導光棒１１１の各第１発色面１１１ａ、第２発色面１１１ｂ、側面（平滑面）１１１ｃ及び１１１ｇによって、出光面が形成されている。
【００６１】
このような導光体１１０を用いることにより、出光面側には、溝部１１２によって、発色面１１１ａと第２発色面１１１ｂの交線部は、発色面１１１ａ、第２発色面１１１ｂより明るくなり、明暗のストライプが発生する。見る角度によって、出光面の明暗のストライプの幅が変動し、立体感のある演出を行うことが可能となる。又、平滑面を介して観察させることにより、クリスタル感と比較的強いストライプの演出が可能となる。
【００６２】
又、枠体２０の背面を開口部に構成することで、平滑面を通して背面にある物を観察可能にすることができる。
【００６３】
図１２は更に他の導光体の例を示す図であり、図１３は図１２に示す導光体の斜視図である。
【００６４】
図１２では、図６と同様に、導光体１２０を、導光棒の長手方向と垂直な方向に切った断面図を示している。図１２及び１３に示す導光体１２０は、前述した導光体１０の代わりに面発色装置１に利用することができる。
【００６５】
図１２に示すように、導光体１２０は、断面がＶの字状の溝部１２２及び１２３を２箇所に設けた導光棒１２１が複数配列されるようにして構成されている。溝部１２２及び１２３は、導光棒１２１の長手方向に沿って設けられている。また、溝部１２２及び１２３は、出光方向の面とこれと逆方向の面にそれぞれ設けられている。なお、対向とはそれぞれの溝が線対称にある場合だけでなく、相互に向き合う面において設けられているものを指す広い概念であり、相互にずれて配置されたものを含むものとする。
【００６６】
導光棒１２１は、第１発色面１２１ａ、第２発色面１２１ｂ、第３発色面１２１ｆ、第４発色面１２１ｇ、側面（平滑面）１２１ｃ、１２１ｄ、１２１ｅ、１２１ｈ、１２１ｉ及び１２１ｊ、さらに、端面（不図示）から構成される。なお、図１２において、光偏向手段が設けられた面を斜線で示している。
【００６７】
前述した第１及び第２ＬＥＤ光源３０及び／又は４０等からの光が、導光棒１２１の端面から入射すると、溝部の第１発色面１２１ａ、第２発色面１２１ｂ、第３発色面１２１ｆ及び／又は第４発色面１２１ｇで散乱が発生し、発色面及び／又は側面（平滑面）１２１ｃ及び１２１ｊを介して、光が出光面側から出光する（矢印Ｃ参照）。ここで、導光体１２０では、複数の導光棒１２１の各第１発色面１２１ａ、第２発色面１２１ｂ、側面（平滑面）１２１ｃ及び１２１ｊによって、出光面が形成されている。
【００６８】
このような導光体１２０を用いることにより、特に前後に配置された溝部１２２及び１２３からの強い光によって、立体感のある演出が可能となる。
【００６９】
図１４は更に他の導光体の例を示す図であり、図１５は図１４に示す導光体の斜視図である。
【００７０】
図１４では、図６と同様に、導光体１３０を、導光棒の長手方向と垂直な方向に切った断面図を示している。図１４及び１５に示す導光体１３０は、前述した導光体１０の代わりに面発色装置１に利用することができる。
【００７１】
図に示すように、導光体１３０は、断面がＵの字状の溝部１３２を設けた導光棒１３１が複数配列されるようにして構成されている。溝部１３２は、導光棒１３１の長手方向に沿って設けられている。
【００７２】
導光棒１３１は、第１発色曲面１３１ａ、側面（平滑面）１３１ｂ、１３１ｃ、１３１ｄ、１３１ｅ及び１３１ｆ、さらに、端面（不図示）から構成される。なお、図１４において、光偏向手段が設けられた面を斜線で示している。
【００７３】
前述した第１及び第２ＬＥＤ光源３０及び／又は４０等からの光が、導光棒１３１の端面から入射すると、溝部の第１発色曲面１３１ａで散乱が発生し、発色曲面及び／又は側面（平滑面）１３１ｂ及び１３１ｆを介して、光が出光面側から出光する（矢印Ｃ参照）。ここで、導光体１３０では、複数の導光棒１３１の各第１発色曲面１３１ａ、側面（平滑面）１３１ｂ及び１３１ｆによって、出光面が形成されている。
【００７４】
このような導光体１１０を用いることにより、出光面側には、溝部１３２によって、明暗のストライプが発生するので、見る角度によっては、出光面の明暗のストライプの幅が変わることになり、柔らか味のある立体感のある演出を行うことが可能となる。
【００７５】
図１６は更に他の導光体の例を示す図であり、図１７は図１６に示す導光体の斜視図である。
【００７６】
図１６では、図６と同様に、導光体１４０を、導光棒の長手方向と垂直な方向に切った断面図を示している。図１６及び１７に示す導光体１４０は、前述した導光体１０の代わりに面発色装置１に利用することができる。
【００７７】
図１６に示すように、導光体１４０は、断面がＵ字状の溝部１４２及び１４３を２箇所に設けた導光棒１４１が複数配列されるようにして構成されている。溝部１４２及び１４３は、導光棒１４１の長手方向に沿って、互いに対向するように設けられている。
【００７８】
導光棒１４１は、第１発色曲面１４１ａ、第２発色曲面１４１ｅ、側面（平滑面）１４１ｂ、１４１ｃ、１４１ｄ、１４１ｆ、１４１ｇ及び１４１ｈ、さらに、端面（不図示）から構成される。なお、図１４において、光偏向手段が設けられた面を斜線で示している。
【００７９】
前述した第１及び第２ＬＥＤ光源３０及び／又は４０等からの光が、導光棒１４１の端面から入射すると、溝部の第１発色曲面１４１ａ及び／又は第２発色面１４１ｅで散乱し、発色面及び／又は側面（平滑面）１４１ｂ及び１４１ｈを介して、光が出光面側から出光する（矢印Ｃ参照）。ここで、導光体１４０では、複数の導光棒１４１の各第１発色面１４１ａ、側面（平滑面）１４１ｂ及び１４１ｈによって、出光面が形成されている。
【００８０】
このような導光体１４０を用いることにより、前後に配置された溝部１４２及び１４３によって、柔らか味のある立体感のある演出が可能となる。
【００８１】
このように、本発明に係る面発色装置１では、導光体を構成する導光棒に長手方向に沿った溝部があり、溝部内の発色面から光が出光するので、溝部以外の平滑面に比べて明るく見え、その為、出光面側には明暗のストライプが観察できることになる。又、比較的、見る角度による明暗のストライプの幅の変化を少なくすることが可能となる。曲面の発色面の構成で、柔らか味を伴った立体感のある演出を行うことが可能となった。
【００８２】
以上、本発明に係る面発色装置を、壁掛けパネル型に構成したものを用いて説明を行ったが、本発明に係る面発色装置は軽量且つ簡易な構成である利点を生かし、パネル型以外の多くの屋内、屋外用の照明器具、建材等として利用することができる。
【００８３】
上述したように、図４、図８、図１０、図１２、図１４、図１６の例で可能となる演出は、ＬＥＤの発光色や明度、彩度を任意に制御することにより無限の色彩調和のとれた配色であることを認識されたい。本発明に係る面発色装置を用いるとＬＥＤごとに異なった色で発色させることにより、ストライプ状の面発色を行うことができるため、等間隔で成り立つ色空間というストライプによって秩序のある、見る方向によりストライプ幅に変化が持たせることができる、または単純幾何学的関係によって選ばれた色は調和するという「秩序の原理」を満たすことができる。さらに、「近親性の原理」に沿うように通常見慣れた自然界の色とその変化を表すように各導光体をストライプ状の配色で発色させて面発色させることにより、人の情緒への心地よさの働きかけをより顕著なものにすることができる。
【図面の簡単な説明】
【００８４】
【図１】本発明に係る壁掛けパネル型面発色装置の発色面側から見た正面図である。
【図２】図１に示すＡＡ´断面図である。
【図３】ＬＥＤ光源部の概略構成を示す図である。
【図４】導光棒の一例を示す図である。
【図５】導光体と光源部との関係を示す斜視図である。
【図６】図１におけるＢＢ´断面図である。
【図７】導光体の発色を説明するための図である。
【図８】他の導光体の例を示す図である。
【図９】図８に示す導光体の斜視部である。
【図１０】更に他の導光体の例を示す図である。
【図１１】図１０に示す導光体の斜視部である。
【図１２】更に他の導光体の例を示す図である。
【図１３】図１２に示す導光体の斜視部である。
【図１４】更に他の導光体の例を示す図である。
【図１５】図１４に示す導光体の斜視部である。
【図１６】更に他の導光体の例を示す図である。
【図１７】図１７に示す導光体の斜視部である。
【符号の説明】
【００８５】
１    壁掛けパネル型面発色装置
１０、１００、１１０、１２０、１３０、１４０    導光体
１１、１０１、１１１、１２１、１３１、１４１    導光棒
１２、１０２、１０３、１１２、１２２、１２３、１３２、１４２、１４３    溝部
２０    枠体
３０    第１のＬＥＤ光源部
３１、４１    ＬＥＤ
３３、４３    リフレクター部
４０    第２のＬＥＤ光源部
Ｒ    光偏向手段
【図１】
2008218219.tif 000003
【図２】
2008218219.tif 000004
【図３】
2008218219.tif 000005
【図４】
2008218219.tif 000006
【図５】
2008218219.tif 000007
【図６】
2008218219.tif 000008
【図７】
2008218219.tif 000009
【図８】
2008218219.tif 000010
【図９】
2008218219.tif 000011
【図１０】
2008218219.tif 000012
【図１１】
2008218219.tif 000013
【図１２】
2008218219.tif 000014
【図１３】
2008218219.tif 000015
【図１４】
2008218219.tif 000016
【図１５】
2008218219.tif 000017
【図１６】
2008218219.tif 000018
【図１７】
2008218219.tif 000019